(57)【要約】【課題】測定値の頻繁な表示変化に起因する信頼性の低下と、測定値の表示無変化の継続に起因する信頼性の低下とを共に解消する。【解決手段】ステップＳ１０１で算出した算出高度と現在表示されている表示高度との差が、±３ｍ以内であるか否かを判別する（ステップＳ１０２）。この差が±３ｍを超える場合には、前記ステップＳ１０１で算出した高度を表示部１１に表示させて表示高度を更新する（ステップＳ１０３）。しかし、今回算出した算出高度と現在表示されている表示高度との差が、±３ｍ以内である場合には、今回の算出高度を記憶する（ステップＳ１０４）。算出高度と表示高度との差が５回連続して±３ｍ以内であった場合には、記憶されている５回の計測値（算出高度）に基づき、平均値を算出する（ステップＳ１０７）。この算出した平均値を表示させて表示高度を更新する（ステップＳ１０３）。【選択図】図２
2009288226.tif 000002
【特許請求の範囲】
【請求項１】
センサと、
測定値を表示する表示手段と、
前記センサの出力に基づいて、一定周期毎に測定値を演算する測定値演算手段と、
この測定値演算手段により取得された今回の測定値と前記表示手段に表示されている表示測定値との差を算出する算出手段と、
この算出手段により算出された差を、基準値と比較する比較手段と、
この比較手段の比較結果に基づき、前記差が所定範囲を超える場合、前記今回の測定値を前記表示手段に表示させる第１の表示制御手段と、
前記差が所定範囲内である場合、前記差が所定範囲内であることが所定回数連続して検出されたか否かを判別する判別手段と、
この判別手段により、前記差が所定範囲内であることが所定回数連続して検出されたと判別された場合に、前記所定回数の測定値に応じた値を前記表示手段に表示させる第２の表示制御手段と、
を備えることを特徴とする測定表示装置。
【請求項２】
前記比較手段は、前記算出手段により算出された差の絶対値を基準値と比較し、
前記第１の表示制御手段は、前記比較手段の比較結果に基づき、前記差の絶対値が基準値より大きい場合、前記今回の測定値を前記表示手段に表示させ、
前記判別手段は、前記差の絶対値が基準値より小さい場合、前記差の絶対値が基準値より小さいことが所定回数連続して検出されたか否かを判別し、
前記第２の表示制御手段は、前記判別手段により、前記差の絶対値が基準値より小さいことが所定回数連続して検出されたと判別された場合に、前記所定回数の測定値に応じた値を前記表示手段に表示させることを特徴とする請求項１記載の測定表示装置。
【請求項３】
センサと、
測定値を表示する表示手段と、
前記センサの出力に基づいて、一定周期毎に測定値を演算する測定値演算手段と、
この測定値演算手段により取得された今回の測定値と前記表示手段に表示されている表示測定値との差を算出する算出手段と、
この算出手段により算出された差を、基準値と比較する比較手段と、
この比較手段の比較結果に基づき、前記差が所定範囲を超える場合、前記差が所定範囲を超えることが所定回数連続して検出されたか否かを判別する第１の判別手段と、
この第１の判別手段により、前記差が所定範囲を超えることが所定回数連続して検出されたと判別された場合に、前記今回の測定値を前記表示手段に表示させる第１の表示制御手段と、
前記差が所定範囲内である場合、前記差が所定範囲内であることが所定回数連続して検出されたか否かを判別する第２の判別手段と、
この第２の判別手段により、前記差が所定範囲内であることが所定回数連続して検出されたと判別された場合に、前記所定回数の測定値に応じた値を前記表示手段に表示させる第２の表示制御手段と、
を備えることを特徴とする測定表示装置。
【請求項４】
前記比較手段は、前記算出手段により算出された差の絶対値を基準値と比較し、
前記第１の判別手段は、前記差の絶対値が基準値より大きい場合、前記差の絶対値が基準値より大きいことが所定回数連続して検出されたか否かを判別し、
前記第１の表示制御手段は、前記第１の判別手段により、前記差の絶対値が基準値より大きいことが所定回数連続して検出されたと判別された場合に、前記今回の測定値を前記表示手段に表示させ、
前記第２の判別手段は、前記差の絶対値が基準値より小さい場合、前記差の絶対値が基準値より小さいことが所定回数連続して検出されたか否かを判別し、
前記第２の表示制御手段は、前記判別手段により、前記差の絶対値が基準値より小さいことが所定回数連続して検出されたと判別された場合に、前記所定回数の測定値に応じた値を前記表示手段に表示させることを特徴とする請求項１記載の測定表示装置。
【請求項５】
前記基準値を可変的に設定する基準値設定手段を備えることを特徴とする請求項１から４にいずれか記載の測定表示装置。
【請求項６】
前記基準値設定手段は、
前記測定値演算手段により一定周期毎に演算された複数の測定値を記憶する記憶手段と、
この記憶手段に記憶された前記複数の測定値に基づき、前記基準値を設定する設定手段と
を備えることを特徴とする請求項５記載の測定表示装置。
【請求項７】
前記設定手段は、前記記憶手段に記憶された前記測定値の最大値と最小値との差に基づき、前記基準値を設定することを特徴とする請求項６記載の表示装置。
【請求項８】
前記判別手段により判別される前記所定回数を可変的に設定する回数設定手段を備えることを特徴とする請求項１から７にいずれか記載の測定表示装置。
【請求項９】
前記第２の表示制御手段が前記表示手段に表示させる前記所定回数の測定値に応じた値は、前記所定回数からなる測定値の平均値であることを特徴とする請求項１から８にいずれか記載の測定表示装置。
【請求項１０】
センサと、測定値を表示する表示手段とを備える装置が有するコンピュータを、
前記センサの出力に基づいて、一定周期毎に測定値を演算する測定値演算手段と、
この測定値演算手段により取得された今回の測定値と前記表示手段に表示されている表示測定値との差を算出する算出手段と、
この算出手段により算出された差を、基準値と比較する比較手段と、
この比較手段の比較結果に基づき、前記差が所定範囲を超える場合、前記今回の測定値を前記表示手段に表示させる第１の表示制御手段と、
前記差が所定範囲内である場合、前記差が所定範囲内であることが所定回数連続して検出されたか否かを判別する判別手段と、
この判別手段により、前記差が所定範囲内であることが所定回数連続して検出されたと判別された場合に、前記所定回数の測定値に応じた値を前記表示手段に表示させる第２の表示制御手段と、
して機能させることを特徴とする測定値表示制御プログラム。
【請求項１１】
センサと、測定値を表示する表示手段とを備える装置が有するコンピュータを、
前記センサの出力に基づいて、一定周期毎に測定値を演算する測定値演算手段と、
この測定値演算手段により取得された今回の測定値と前記表示手段に表示されている表示測定値との差を算出する算出手段と、
この算出手段により算出された差を、基準値と比較する比較手段と、
この比較手段の比較結果に基づき、前記差が所定範囲を超える場合、前記差が所定範囲を超えることが所定回数連続して検出されたか否かを判別する第１の判別手段と、
この第１の判別手段により、前記差が所定範囲を超えることが所定回数連続して検出されたと判別された場合に、前記今回の測定値を前記表示手段に表示させる第１の表示制御手段と、
前記差が所定範囲内である場合、前記差が所定範囲内であることが所定回数連続して検出されたか否かを判別する第２の判別手段と、
この第２の判別手段により、前記差が所定範囲内であることが所定回数連続して検出されたと判別された場合に、前記所定回数の測定値に応じた値を前記表示手段に表示させる第２の表示制御手段と、
して機能させることを特徴とする測定値表示制御プログラム。
【発明の詳細な説明】
【技術分野】
【０００１】
本発明は、所定の対象を測定してその測定値を表示する測定表示装置及び測定値表示制御プログラムに関するものである。
【背景技術】
【０００２】
従来、例えば携帯型高度計においては、圧力センサにより検出した大気圧に基づき周知の演算を行って高度を算出し、この算出した高度を表示部に表示する。したがって、当該携帯型高度計を携帯したユーザが当該高度位置に停止中であっても、大気圧が変化するとこれを圧力センサが検出してしまうことから、表示高度が変化する場合が生ずる。また、大気圧に変化がない場合であっても、圧力センサの特性や外来ノイズに起因して、ユーザが当該高度位置に停止中であるにも拘わらず、表示高度が変化する場合が生ずる。したがって、表示高度が不自然かつ必要以上に頻繁に変化し、これに起因して信頼性が低下してしまうおそれがある。
【０００３】
このため、表示高度との差が基準値未満の高度が算出された場合には、これを無視して表示高度を更新せず、基準値以上の高度が算出された場合にのみ表示高度を更新することにより、不自然かつ必要以上に頻繁な表示高度の変化を抑制するようにした携帯型高度計も提案されるに至っている（例えば、特許文献１参照。）。
【特許文献１】特許第３８５４０４７号公報
【発明の開示】
【発明が解決しようとする課題】
【０００４】
しかしながら、このように、前記差が基準値未満の高度が算出された場合には、これを無視して表示高度を更新せず、基準値以上の高度が算出された場合にのみ表示高度を更新するようにすると、比較的平坦なルートを移動している場合、実際には高度変化が生じているにも拘わらず、表示高度が変化しない状態が継続する場合が生ずる。このため、前述とは逆に表示高度の無変化状態が継続することに起因して、ユーザに不信感を生じさせ、信頼性を低下させてしまうおそれがある。
【０００５】
本発明は、かかる従来の課題に鑑みてなされたものであり、測定値の頻繁な表示変化に起因する信頼性の低下と、測定値の表示無変化の継続に起因する信頼性の低下とを共に解消することのできる測定表示装置及び測定値表示制御プログラムを提供すること目的とする。
【課題を解決するための手段】
【０００６】
前記課題を解決するため請求項１記載の発明に係る測定表示装置にあっては、センサと、測定値を表示する表示手段と、前記センサの出力に基づいて、一定周期毎に測定値を演算する測定値演算手段と、この測定値演算手段により取得された今回の測定値と前記表示手段に表示されている表示測定値との差を算出する算出手段と、この算出手段により算出された差を、基準値と比較する比較手段と、この比較手段の比較結果に基づき、前記差が所定範囲を超える場合、前記今回の測定値を前記表示手段に表示させる第１の表示制御手段と、前記差が所定範囲内である場合、前記差が所定範囲内であることが所定回数連続して検出されたか否かを判別する判別手段と、この判別手段により、前記差が所定範囲内であることが所定回数連続して検出されたと判別された場合に、前記所定回数の測定値に応じた値を前記表示手段に表示させる第２の表示制御手段と、を備えることを特徴とする。
【０００７】
また、請求項２記載の発明に係る測定表示装置にあっては、前記比較手段は、前記算出手段により算出された差の絶対値を基準値と比較し、前記第１の表示制御手段は、前記比較手段の比較結果に基づき、前記差の絶対値が基準値より大きい場合、前記今回の測定値を前記表示手段に表示させ、前記判別手段は、前記差の絶対値が基準値より小さい場合、前記差の絶対値が基準値より小さいことが所定回数連続して検出されたか否かを判別し、前記第２の表示制御手段は、前記判別手段により、前記差の絶対値が基準値より小さいことが所定回数連続して検出されたと判別された場合に、前記所定回数の測定値に応じた値を前記表示手段に表示させることを特徴とする。
【０００８】
また、請求項３記載の発明に係る測定表示装置にあっては、センサと、測定値を表示する表示手段と、前記センサの出力に基づいて、一定周期毎に測定値を演算する測定値演算手段と、この測定値演算手段により取得された今回の測定値と前記表示手段に表示されている表示測定値との差を算出する算出手段と、この算出手段により算出された差を、基準値と比較する比較手段と、この比較手段の比較結果に基づき、前記差が所定範囲を超える場合、前記差が所定範囲を超えることが所定回数連続して検出されたか否かを判別する第１の判別手段と、この第１の判別手段により、前記差が所定範囲を超えることが所定回数連続して検出されたと判別された場合に、前記今回の測定値を前記表示手段に表示させる第１の表示制御手段と、前記差が所定範囲内である場合、前記差が所定範囲内であることが所定回数連続して検出されたか否かを判別する第２の判別手段と、この第２の判別手段により、前記差が所定範囲内であることが所定回数連続して検出されたと判別された場合に、前記所定回数の測定値に応じた値を前記表示手段に表示させる第２の表示制御手段と、を備えることを特徴とする。
【０００９】
また、請求項４記載の発明に係る測定表示装置にあっては、前記比較手段は、前記算出手段により算出された差の絶対値を基準値と比較し、前記第１の判別手段は、前記差の絶対値が基準値より大きい場合、前記差の絶対値が基準値より大きいことが所定回数連続して検出されたか否かを判別し、前記第１の表示制御手段は、前記第１の判別手段により、前記差の絶対値が基準値より大きいことが所定回数連続して検出されたと判別された場合に、前記今回の測定値を前記表示手段に表示させ、前記第２の判別手段は、前記差の絶対値が基準値より小さい場合、前記差の絶対値が基準値より小さいことが所定回数連続して検出されたか否かを判別し、前記第２の表示制御手段は、前記判別手段により、前記差の絶対値が基準値より小さいことが所定回数連続して検出されたと判別された場合に、前記所定回数の測定値に応じた値を前記表示手段に表示させることを特徴とする。
【００１０】
また、請求項５記載の発明に係る測定表示装置にあっては、前記基準値を可変的に設定する基準値設定手段を備えることを特徴とする。
【００１１】
また、請求項６記載の発明に係る測定表示装置にあっては、前記基準値設定手段は、前記測定値演算手段により一定周期毎に演算された複数の測定値を記憶する記憶手段と、この記憶手段に記憶された前記複数の測定値に基づき、前記基準値を設定する設定手段とを備えることを特徴とする。
【００１２】
また、請求項７記載の発明に係る表示装置にあっては、前記設定手段は、前記記憶手段に記憶された前記測定値の最大値と最小値との差に基づき、前記基準値を設定することを特徴とする。
【００１３】
また、請求項８記載の発明に係る測定表示装置にあっては、前記判別手段により判別される前記所定回数を可変的に設定する回数設定手段を備えることを特徴とする。
【００１４】
また、請求項９記載の発明に係る測定表示装置にあっては、前記第２の表示制御手段が前記表示手段に表示させる前記所定回数の測定値に応じた値は、前記所定回数からなる測定値の平均値であることを特徴とする。
【００１５】
また、請求項１０記載の発明に係る測定値表示制御プログラムにあっては、センサと、測定値を表示する表示手段とを備える装置が有するコンピュータを、前記センサの出力に基づいて、一定周期毎に測定値を演算する測定値演算手段と、この測定値演算手段により取得された今回の測定値と前記表示手段に表示されている表示測定値との差を算出する算出手段と、この算出手段により算出された差を、基準値と比較する比較手段と、この比較手段の比較結果に基づき、前記差が所定範囲を超える場合、前記今回の測定値を前記表示手段に表示させる第１の表示制御手段と、前記差が所定範囲内である場合、前記差が所定範囲内であることが所定回数連続して検出されたか否かを判別する判別手段と、この判別手段により、前記差が所定範囲内であることが所定回数連続して検出されたと判別された場合に、前記所定回数の測定値に応じた値を前記表示手段に表示させる第２の表示制御手段と、して機能させることを特徴とする。
【００１６】
また、請求項１１記載の発明に係る測定値表示制御プログラムにあっては、センサと、測定値を表示する表示手段とを備える装置が有するコンピュータを、前記センサの出力に基づいて、一定周期毎に測定値を演算する測定値演算手段と、この測定値演算手段により取得された今回の測定値と前記表示手段に表示されている表示測定値との差を算出する算出手段と、この算出手段により算出された差を、基準値と比較する比較手段と、この比較手段の比較結果に基づき、前記差が所定範囲を超える場合、前記差が所定範囲を超えることが所定回数連続して検出されたか否かを判別する第１の判別手段と、この第１の判別手段により、前記差が所定範囲を超えることが所定回数連続して検出されたと判別された場合に、前記今回の測定値を前記表示手段に表示させる第１の表示制御手段と、前記差が所定範囲内である場合、前記差が所定範囲内であることが所定回数連続して検出されたか否かを判別する第２の判別手段と、この第２の判別手段により、前記差が所定範囲内であることが所定回数連続して検出されたと判別された場合に、前記所定回数の測定値に応じた値を前記表示手段に表示させる第２の表示制御手段と、して機能させることを特徴とする。
【発明の効果】
【００１７】
本発明によれば、測定値の頻繁な表示変化に起因する信頼性の低下と、測定値の表示無変化の継続に起因する信頼性の低下とを共に解消することができるという利点がある。
【発明を実施するための最良の形態】
【００１８】
以下、本発明の一実施の形態を図に従って説明する。
（第１の実施の形態）
図１は、各実施の形態に共通する高度測定表示機能を備えた腕時計の回路構成を示すものである。すなわち、この腕時計の回路は、ＣＰＵ１を中心に他の回路部がこれに接続する構成となっている。ＣＰＵ１は、送られてくるデータを処理・加工して送出するとともに各回路部に信号を送って、それらの回路部を制御する。
【００１９】
発振回路２は、常時、一定周波数の信号を送出する。分周回路３は、発振回路２からの上記信号を所定周波数にまで分周し、それを時刻計数回路４に送出する。時刻計数回路４は、上記分周回路３からの信号を計数して現在時刻を得て、これをＣＰＵ１に送出するとともに、５秒毎に、高度の計測タイミング信号であるキャリー信号をＣＰＵ１に送出する回路である。
【００２０】
圧力センサ５は、ＣＰＵ１からの起動信号を受けて、その地点の気圧に応じたアナログ電気信号をＡ／Ｄ変換回路６に送る回路部である。Ａ／Ｄ変換回路６は、ＣＰＵ１からの起動信号を受けて圧力センサ５からのアナログ電気信号をデジタル信号に変換してＣＰＵ１に送出する回路部である。ＲＡＭ７はＣＰＵ１からの制御信号を受けてＣＰＵ１からのデータを記憶し、又は、記憶しているデータを読出してＣＰＵ１に送出する。ＲＯＭ８は電子式高度計としての各種動作を指定するプログラム等を固定的に記憶し、ＣＰＵ１の指示の下にこれらを読出してＣＰＵ１に与える。
【００２１】
キー部９は、多数のスイッチを備え、これらの中のいずれかが操作されたときに、対応するスイッチ入力信号をＣＰＵ１に送出する。表示駆動回路１０は、ＣＰＵ１からの各種データを表示部１１に表示する回路部で、表示部１１は、表示駆動回路１０により駆動されて、それぞれに対応するデータをデジタル表示する回路部である。
【００２２】
以上の構成に係る本実施の形態において、登山等に際してユーザはこの腕時計を腕に装着して歩行を行う。すると、時刻計数回路４からは前述のように、５秒毎に、高度の計測タイミング信号であるキャリー信号がＣＰＵ１に送出される。ＣＰＵ１は、ＲＯＭ８に記憶されたプログラムに基づき、図２に示すフローチャートに示す処理を、前記キャリー信号が送出される毎、つまり５秒毎に実行する。
【００２３】
すなわち、前記Ａ／Ｄ変換回路６を介して圧力センサ５から出力されたその地点の気圧に基づき、周知の演算を行って当該地点の高度を算出する（ステップＳ１０１）。次に、この算出した算出高度と表示部１１に現在表示されている表示高度との差が、基準値である±３ｍ以内であるか否か、つまり前記差の絶対値が３ｍ以内であるか否かを判別する（ステップＳ１０２）。
【００２４】
この判別の結果、算出高度と表示高度との差が±３ｍを超える場合には（ステップＳ１０２：ＮＯ）、前記ステップＳ１０１で算出した高度を表示部１１に表示させて表示高度を更新する（ステップＳ１０３）。引き続き、後述する計数カウンタを初期化して初期値「１回」をセットし（ステップＳ１０４）、ステップＳ１０１に戻る。
【００２５】
したがって、例えばユーザが５秒毎に±３ｍ以上高度が変化する状態で歩行を行っていたとすると、ステップＳ１０１〜Ｓ１０４のループが繰り返される。これにより、表示部１１に表示されている表示高度は、５秒毎に変化して現在の高度を表示していく。
【００２６】
しかし、ステップＳ１０２の判別がＹＥＳである場合、つまり今回算出した算出高度と表示部１１に現在表示されている表示高度との差が、基準値である±３ｍ以内である場合、つまり前記差の絶対値が３ｍ以内である場合には、前述したステップＳ１０３の表示更新を行うことなく、ステップＳ１０５に進む。
【００２７】
そして、ステップＳ１０１で算出した今回の算出高度をＲＡＭ７にワークエリアに記憶する（ステップＳ１０５）。引き続き、計測回数カウンタの値が５回となっているか否かを判別する（ステップＳ１０６）。計測回数カウンタの値が５回となっていない場合には、計測回数カウンタの値をカウントアップさせて（ステップＳ１０７）、ステップＳ１０１に戻る。
【００２８】
したがって、５秒毎に算出された算出高度と表示高度との差が±３ｍ以内である状態が継続している間においては、ステップＳ１０１→Ｓ１０２→Ｓ１０５→Ｓ１０６→Ｓ１０７→Ｓ１０１のループが繰り返される。
【００２９】
このため、今回算出した算出高度と表示部１１に現在表示されている表示高度との差が、基準値である±３ｍ以内である場合には、前述したステップＳ１０３の処理が実行されず、今回の算出高度により表示高度が更新されることはない。よって、ユーザが当該高度位置に停止中の状態で大気圧が変化して表示高度が変化した場合や、圧力センサ５の特性や外来ノイズに起因して、ユーザが当該高度位置に停止中であるにも拘わらず、表示高度が変化することがない。これにより、表示高度が不自然かつ必要以上に頻繁に変化し、これに起因して信頼性が低下してしまうおそれを解消することができる。
【００３０】
そして、算出高度と表示高度との差が５回連続して±３ｍ以内であった場合には、ステップＳ１０６の判断がＹＥＳとることから、ステップＳ１０５からステップＳ１０８に進む。このとき、前記ステップＳ１０５の処理が５回連続して行われることにより、５回における各回の算出高度がＲＡＭ７に記憶されている。よって、ステップＳ１０８においては、これらＲＡＭ７に記憶されている５回の計測値（算出高度）に基づき、平均値を算出する。そして、この算出した平均値を表示部１１に表示させて表示高度を更新する（ステップＳ１０３）。
【００３１】
したがって、算出高度と表示高度との差が±３ｍの状態が継続しても、それが最大２５秒間（５秒×５回）継続した時点で、表示部１１の表示高度は更新される。よって、比較的平坦なルートを移動している場合等において、表示高度が変化しない状態が過剰に継続することもなく、表示高度の無変化状態が継続することに起因して、ユーザに不信感を生じさせ、信頼性を低下が低下してしまうおそれも解消することができる。
【００３２】
また、本実施の形態においては、算出高度と表示高度との差が５回連続して±３ｍ以内であった場合に、５回の算出高度の平均値を更新表示するようにしたことから、圧力センサ５の特性を考慮した適正な高度を表示することができる。
【００３３】
なお、連続回数（５回）や高度差（±３ｍ）は一例であって、これらの値よりも大きくても小さくてもよい。また、これらの値をユーザによるキー部９での操作により任意に設定できるようにしてもよい。これにより、ユーザの好みや感覚に合った頻度で表示高度を変化させることができる。
【００３４】
また、更新表示に用いる測定値も平均値に限ることなく、最初の算出高度や最後の算出高度等、算出された高度に基づく値であれば他の値であってもよい。
【００３５】
（第２の実施の形態）
図３は、本発明の第２の実施の形態における処理手順を示すフローチャートである。時刻計数回路４からは前述のように、５秒毎に、高度の計測タイミング信号であるキャリー信号がＣＰＵ１に送出される。ＣＰＵ１は、ＲＯＭ８に記憶されたプログラムに基づき、図３に示すフローチャートに示す処理を、前記キャリー信号が送出される毎、つまり５秒毎に実行する。
【００３６】
すなわち、前記Ａ／Ｄ変換回路６を介して圧力センサ５から出力されたその地点の気圧に基づき、周知の演算を行って当該地点の高度を算出する（ステップＳ２０１）。次に、この算出した算出高度と表示部１１に現在表示されている表示高度との差が、基準値である±３ｍ以内であるか否か、つまり前記差の絶対値が３ｍ以内であるか否かを判別する（ステップＳ２０２）。
【００３７】
この判別の結果、算出高度と表示高度との差が±３ｍを超える場合には（ステップＳ２０２：ＮＯ）、基準値より大きい高度検出回数カウンタの値が「２回」になっているか否かを判断する（ステップＳ２０３）。この基準値より大きい高度検出回数カウンタの値が「２回」となっていない場合には、当該基準値より大きい高度検出回数カウンタの値をカウントアップさせて「２回」にし（ステップＳ２０４）、ステップＳ２０１に戻る。
【００３８】
そして、再度ステップＳ２０１からの処理が実行された際、算出高度と表示高度との差が±３ｍを超える場合にはステップＳ２０２の判別がＹＥＳとなって、ステップＳ２０３にすすむ。また、このとき基準値より大きい高度検出回数カウンタの値は「２回」となっていることから、ステップＳ２０３の判断もＹＥＳとなり、ステップＳ２０５に進む。ここのステップＳ２０５においては、前記ステップＳ２０１で今回算出した高度を表示部１１に表示させて表示高度を更新する。引き続き、後述する計数カウンタを初期化して初期値「１回」をセットするとともに（ステップＳ２０６）、前記基準値より大きい高度検出回数カウンタを初期化して初期値「１回」をセットし（ステップＳ２０７）、ステップＳ２０１に戻る。
【００３９】
したがって、本実施の形態においては、５秒毎に算出した算出高度と表示高度との差が、連続して２回±３ｍ以上である状態においては、表示部１１に表示されている表示高度は、１０秒毎に変化して現在の高度を表示していく。
【００４０】
しかし、ステップＳ２０２の判別がＹＥＳである場合、つまり今回算出した算出高度と表示部１１に現在表示されている表示高度との差が、基準値である±３ｍ以内である場合、つまり前記差の絶対値が３ｍ以内である場合には、前述したステップＳ２０５の表示更新を行うことなく、ステップＳ２０８に進む。
【００４１】
そして、ステップＳ２０１で算出した今回の算出高度をＲＡＭ７にワークエリアに記憶する（ステップＳ２０８）。引き続き、計測回数カウンタの値が５回となっているか否かを判別する（ステップＳ２０９）。計測回数カウンタの値が５回となっていない場合には、計測回数カウンタの値をカウントアップさせて（ステップＳ２１０）、ステップＳ２０１に戻る。
【００４２】
したがって、５秒毎に算出された算出高度と表示高度との差が±３ｍ以内である状態が継続している間においては、ステップＳ２０１→Ｓ２０２→Ｓ２０８→Ｓ２０９→Ｓ２１０→Ｓ２０１のループが繰り返される。
【００４３】
このため、今回算出した算出高度と表示部１１に現在表示されている表示高度との差が、基準値である±３ｍ以内である場合には、前述したステップＳ２０５の処理が実行されず、今回の算出高度により表示高度が更新されることはない。よって、ユーザが当該高度位置に停止中の状態で大気圧が変化して表示高度が変化した場合や、圧力センサ５の特性や外来ノイズに起因して、ユーザが当該高度位置に停止中であるにも拘わらず、表示高度が変化することがない。このため、表示高度が不自然かつ必要以上に頻繁に変化し、これに起因して信頼性が低下してしまうおそれを解消することができる。
【００４４】
そして、算出高度と表示高度との差が５回連続して±３ｍ以内であった場合には、ステップＳ２０９の判断がＹＥＳとることから、ステップＳ２０９からステップＳ２１１に進む。このとき、ステップＳ２０８の処理が５回連続して行われることにより、５回における各回の算出高度がＲＡＭ７に記憶されている。よって、ステップＳ２１１においては、これらＲＡＭ７に記憶されている５回の計測値（算出高度）に基づき、平均値を算出する。そして、この算出した平均値を表示部１１に表示させて表示高度を更新する（ステップＳ２０５）。
【００４５】
したがって、算出高度と表示高度との差が±３ｍの状態が続いても、それが最大２５秒間（５秒×５回）継続した時点で、表示部１１の表示高度は更新される。よって、比較的平坦なルートを移動している場合等において、表示高度が変化しない状態が過剰に継続することもなく、表示高度の無変化状態が継続することに起因して、ユーザに不信感を生じさせ、信頼性を低下が低下してしまうおそれも解消することができる。
【００４６】
なお、本実施の形態においては、前述した第１の実施の形態の処理に加えて、算出高度と表示高度との差が２回連続して±３ｍを超える場合に、表示高度を算出高度に更新するようにしたが、連続回数（２回）は一例であって、この値よりも大きくてもよい。また、これらの値をユーザによるキー部９での操作により任意に設定できるようにしてもよい。これにより、ユーザの好みや感覚に合った頻度で表示高度を変化させることができる。
【００４７】
（第３の実施の形態）
図４は、本発明の第３の実施の形態における基準値設定モードの処理手順を示すフローチャートである。この基準値設定モードの処理を実行させるに際しては、ユーザは移動することなく、ある地点にとどまってキー部９での操作により基準値設定モードを設定する。すると、ＣＰＵ１は、ＲＯＭ８に記憶されたプログラムに基づき、図３に示すフローチャートに示す基準値設定モード処理を実行する。
【００４８】
すなわち、前記Ａ／Ｄ変換回路６を介して圧力センサ５から出力されたその地点の気圧に基づき、周知の演算を行って当該静止地点の高度を算出し（ステップＳ３０１）、この算出した高度をＲＡＭ７に記憶する（ステップＳ３０２）。次に、これらステップＳ３０１及びＳ３０２による高度の演算・記憶を１０回行ったか否かを判断し、１０回行うまでステップＳ３０１〜Ｓ３０３のループを繰り返す。
【００４９】
したがって、このループが１０回繰り返されることにより、図５に示すように、ＲＡＭ７には、１回〜１０回に対応してユーザが静止している同一地点で圧力センサ５により検出された大気圧に基づき演算された算出高度が記憶される。つまり、この記憶結果から理解されるように、この圧力センサ５にあっては、高度換算で最大高度１０２ｍから最小高度９８ｍまでのバラツキが生ずる特性である。
【００５０】
そこで、次のステップＳ３０４においては、前述のバラツキを考慮して最小高度と、最大高度から基準値を設定する。例えば、最大高度１０２ｍと最小高度９８ｍは、その中間値１００との関係においては「±２ｍ」であることから、この「±２ｍ」を基準値として設定する。しかる後に、この基準値設定モードを解除する（ステップＳ３０５）。
【００５１】
この基準値設定モードが解除されると、ＣＰＵ１は、前述した図２に示したフローチャート、又は図３に示したフローチャートに従って処理を実行する。そして、図２に示したフローチャートに従って処理を実行する場合には、ステップＳ１０２での判別において、基準値として「±２ｍ」を用いる。したがって、本実施の形態によれば、圧力センサ５の特性に応じて基準値を設定することができる。その結果、今回算出した算出高度と表示部１１に現在表示されている表示高度との差が、基準値である±２ｍ以内である場合には、前述したステップＳ１０３の処理が実行されず、今回の算出高度により表示高度が更新されることはない。よって、ユーザが当該高度位置に停止中の状態で圧力センサ５の特性に起因して、ユーザが当該高度位置に停止中であるにも拘わらず、表示高度が変化することがない。これにより、表示高度が不自然かつ必要以上に頻繁に変化し、これに起因して信頼性が低下してしまうおそれを解消することができる。
【００５２】
また、図３に示したフローチャートに従って処理を実行する場合には、ステップＳ２０２での判別において、基準値として「±２ｍ」を用いる。したがって、前述と同様に、圧力センサ５の特性に応じて基準値を設定することができ、圧力センサ５の特性に起因して、ユーザが当該高度位置に停止中であるにも拘わらず、表示高度が変化することがない。これにより、表示高度が不自然かつ必要以上に頻繁に変化し、これに起因して信頼性が低下してしまうおそれを解消することができる。
【００５３】
また、このように最大高度と最小高度との差に基づいて基準値を設定すれば、各腕時計に実装された圧力センサ５の特性（検出誤差特性）を見込んで基準値を設定することができる。これにより、表示高度の変化頻度を圧力センサ５の特性に応じて適切に制御することが可能となる。
【００５４】
なお、本実施の形態においては、センサにより圧力（大気圧）を検出して高度を演算、表示する装置に本発明を適用した場合を示したが、これに限ることなく、他の対象を検出してその測定値を演算する装置にも適用し得ることは勿論である。
【図面の簡単な説明】
【００５５】
【図１】本発明の各実施の形態に共通する腕時計の回路ブロック図である。
【図２】本発明の第１の実施の形態における処理手順を示すフローチャートである。
【図３】本発明の第２の実施の形態における処理手順を示すフローチャートである。
【図４】本発明の第３の実施の形態における処理手順を示すフローチャートである。
【図５】同実施の形態におけるＲＡＭの記憶状態を示す模式図である。
【符号の説明】
【００５６】
１    ＣＰＵ
２    発振回路
３    分周回路
４    時刻計数回路
５    圧力センサ
６    Ａ／Ｄ変換回路
７    ＲＡＭ
８    ＲＯＭ
９    キー部
１０    表示駆動回路
１１    表示部
【図１】
2009288226.tif 000003
【図２】
2009288226.tif 000004
【図３】
2009288226.tif 000005
【図４】
2009288226.tif 000006
【図５】
2009288226.tif 000007